(57)【要約】    【課題】環を作りその中に指をつっこむ形式の引手延長具を提供する。    【解決手段】取っ手（２０）とテープ（１０）からなる。前記取っ手（２０）は正面板（２１）と、その裏側の裏面板（２２）と、それらを繋ぐ左右両側板（２３，２４）を有し、さらに開口した頂部（２５）と底部（２６）と、内部において前記正面板と裏面板を繋ぐストッパ（２７）を有する。前記テープ（１０）は、環（１２）を形成すると共に、前記ストッパ（２７）をこの環の中に取り込む形で配置される。【選択図】図１
2006043095.tif 000002
【特許請求の範囲】
【請求項１】
取っ手（２０）とテープ（１０）からなり、
前記取っ手（２０）は正面板（２１）と、その裏側の裏面板（２２）と、それらを繋ぐ左右両側板（２３，２４）を有し、さらに開口した頂部（２５）と底部（２６）と、内部において前記正面板と裏面板を繋ぐストッパ（２７）を有し、
前記テープ（１０）は、環（１２）を形成すると共に、前記ストッパ（２７）をこの環の中に取り込む形で配置されることを特徴とするスライダーの引手延長具。
【発明の詳細な説明】
【技術分野】
【０００１】
本発明は、スライドファスナーにおいて、務歯に沿って上下動するスライダーの引手に取り付ける延長具に関する。
【背景技術】
【０００２】
スライダーには引手がついているが、小さくてつかみにくかったり、デザイン的に物足りなかったりする。そのようなとき、取替え用又は追加用に引手の延長具を取り付けることがよく行われている。
【０００３】
本出願人も例えば下記特許文献１及び２のような引手の延長具を出願している。
【特許文献１】特開２０００−３４２３０８
【特許文献２】特開２００３−９９１４
【発明の開示】
【発明が解決しようとする課題】
【０００４】
これらの従来技術の引手延長具は指で握る形式であるが、手の不自由な人にとっては指で握る作業が困難な人がいるので必ずしも十分とはいえなかった。本発明者は、指で握らなくても、延長具で環を作りその中に指をつっこむ形式を考えたが、それだけでは健常者にとって環が邪魔になる場合もある。そこで、手の不自由な人にとっても健常者にとっても使いやすい引手延長具はできないかと考え、試行錯誤を繰り返して本発明に到達した。
【課題を解決するための手段】
【０００５】
本発明に係るスライダーの引手延長具は、取っ手とテープからなり、前記取っ手は正面板と、その裏側の裏面板と、それらを繋ぐ左右両側板を有し、さらに開口した頂部と底部と、内部において前記正面板と裏面板を繋ぐストッパを有し、前記テープは、環を形成すると共に、前記ストッパをこの環の中に取り込む形で配置されることを特徴とする。
【発明の効果】
【０００６】
本発明によれば、取っ手を上下させることにより、環の大きさを自由に変えることができる。この環を大きくして、指を環の中につっこむことにより、手が不自由で指がよく動かない人でも容易にスライダーを上下させることができる。
【０００７】
一方、健常者は環を小さくして、普通の引手延長具として使用することができる。しかし、健常者でも手袋などをはめたままスライドファスナを操作するときには環を大きくして、指を環の中につっこむ使い方の方が使いやすい場合もある。
【０００８】
また、環になったテープは平面的なテープに比べて目立つので、ここに斬新なデザインを組み込んだり、商標のロゴやマークをいれたりすると、周囲の関心を高めることになるので、宣伝広告の効果が高い。
【発明を実施するための最良の形態】
【０００９】
テープは、通常１本で十分であり、引手に近い位置で末端同士が接合されて環を形成している。テープの素材は、天然繊維や合成繊維など幅広く使用することができる。接合は、糸による縫着、熱による融着、接着剤による接着などを使用することができる。
【００１０】
取っ手は、上下が開口した箱状のものであればよい。デザイン上、後記する実施例のように中空の跳び箱のような形態が好ましい。
【００１１】
ストッパは正面板及び裏面板を接続するものであればどのようなものでもよく、ピン、円柱、三角柱、四角柱、五角柱などがある。
【実施例１】
【００１２】
以下、添付の図面に基づき、本発明の実施例を説明する。
【００１３】
図１は、本発明の１実施例に係る引手延長具１の斜視図であり、仮想線で内部構造を表している。図２は、図１における２−２断面図である。
【００１４】
この引手延長具１の先端にスライダー２が取り付けられている。このスライダーがスライドファスナー（図示せず）に取り付けられ、務歯に沿って上下動する。
【００１５】
図１，図２に示すように、この引手延長具１は、全体が環になったテープ１０と、この環の大きさを制御可能とする取っ手２０からなる。
【００１６】
テープ１０は、１本であり、引手に近い位置で末端同士１１が接合されて環１２を形成している。
【００１７】
取っ手２０は、図１、２に示すように、中空の跳び箱のような形態を有する。すなわち、跳び箱の正面に当たる正面板２１と、その裏側の裏面板２２と、それらを繋ぐ両側板２３，２４を有する。跳び箱で手をつく部分に相当する頂部２５は全面が開口しており、跳び箱で床につく部分に相当する底部２６も全面が開口している。
【００１８】
この取っ手は完全中空ではなく、ほぼ中央部に正面板２１と裏面板２２を繋ぐ円柱のようなストッパ２７が形成されている。
【００１９】
発明にとって必須ではないが、取っ手２０の両側板２３，２４には、滑り止めとして横方向に伸びる小さな突起２８が３本ずつ形成されている。また、テープのスライドをなめらかにするため、頂部開口に段部２９が形成されている。
【００２０】
取っ手２０の全体は、合成樹脂により、一体成形されている。
【００２１】
前記テープ１０は、図２に示すように、取っ手のストッパ２７を環１２の中に取り込む形で配置される。
【００２２】
この取っ手２０を下方におろせば、図３に示すように、取っ手はテープ１０の末端に位置する。ストッパ２７があるので、取っ手２０がテープ１０から抜け落ちることはない。健常者は通常この形で引手延長具１を使用するであろう。
【００２３】
取っ手２０が図１、２の位置にあると、テープ１０が大きい環１２を形成する。このとき、使用者が指を環の中につっこむことにより、スライダーを上下させることができ、手が不自由で指がよく動かない人にとって、非常に使いやすいものとなる。しかし、健常者でも手袋などをはめたままスライドファスナを操作するときにはこのやり方の方が都合がよい場合もあるであろう。
【実施例２】
【００２４】
図４は、第２実施例に係る引手延長具の断面図である。取っ手の形状が一方の側板２４Ａはなだらかに曲線を描いているが、他方２３Ａは垂直面となっている。また、ストッパ２７Ａは三角柱である。これらはデザイン的な変形であって、技術的な効果は変わらない。第１実施例と同じ機能を有する部品には、同じ符号に「Ａ」を付けて表記し、説明は省略する。
【図面の簡単な説明】
【００２５】
【図１】本発明の１実施例に係る引手延長具の斜視図であり、仮想線で内部構造を表している。
【図２】図１における２−２断面図である。
【図３】取っ手を下げた状態の引手延長具の断面図である。
【図４】第２実施例に係る引手延長具の断面図である。
【符号の説明】
【００２６】
１     引手延長具
２     スライダー
１０   テープ
１２   環
２０   取っ手
２５   頂部
２６   底部
２７   ストッパ
２３，２４    両側板
【図１】
2006043095.tif 000003
【図２】
2006043095.tif 000004
【図３】
2006043095.tif 000005
【図４】
2006043095.tif 000006